(57)【要約】【課題】誘導路などに使用するための薄型の発光素子を取り付けた薄型発光素子付きの壁用表装材を提供する。【解決手段】クロス２に複数の薄型のＬＥＤ又はＥＬなどの発光素子３が取り付けられ、これらの発光素子３に電源線５と制御線６からなる薄型平型の電気配線４が接続され、電源線５は玄関等戸外への出口部に設けられているＤＣ電源ユニット７に接続され、制御線６は制御ユニット８に接続される。そして、緊急災害時などに制御ユニット８により誘導方向に点滅制御することにより、戸外へ脱出する方向を示すことができる。【選択図】図３
2008025263.tif 000002
【特許請求の範囲】
【請求項１】
クロス材に、電力が供給されて発光する薄型の発光素子を取り付けたことを特徴とする薄型発光素子付きの壁用表装材。
【請求項２】
前記発光素子がＬＥＤ又はＥＬ発光素子であることを特徴とする請求項１記載の薄型発光素子付きの壁用表装材。
【請求項３】
前記発光素子は接着によりクロス材表面に取り付けられていることを特徴とする請求項１又は２記載の薄型発光素子付きの壁用表装材。
【請求項４】
前記発光素子の表面は透明フィルムに覆われて取り付けられていることを特徴とする請求項１又は２記載の薄型発光素子付きの壁用表装材。
【請求項５】
前記電気配線がＤＣ電源に接続されるように構成されたことを特徴とする請求項１ないし４のいずれかに記載の薄型発光素子付きの壁用表装材。
【請求項６】
前記電気配線が制御ユニットに接続されるように構成されたことを特徴とする請求項１ないし５のいずれかに記載の薄型発光素子付きの壁用表装材。
【発明の詳細な説明】
【技術分野】
【０００１】
本発明は、薄型発光素子付きの壁用表装材に関し、特には、誘導路などに使用するため薄型の発光素子を取り付けた薄型発光素子付きの壁用表装材に関する。
【背景技術】
【０００２】
タイルその他の建材においては様々な模様や柄を施し、壁面等を構築したときの美観，意匠性を高めることが行われている。この場合、目地にＬＥＤを設けるなどして、暗がりの中でも装飾機能を十分に発揮するようにしたものがある。また、クロス材においても、蛍光灯の光などを吸収して、蛍光灯等が消えてもしばらくの間、光るように構成した蓄光クロスもある。
【０００３】
さらに、階段や通路の側壁に沿って、発光ダイオードを複数個取り付け、その発光ダイオードに電力を供給する蓄電池と、発光ダイオードを発光させる制御回路とを備え、災害が発生した際、発光ダイオードの発光方向を出口と反対方向に発光させる避難誘導装置が提案されている（例えば、特許文献１）。
【特許文献１】実開昭６２−１６９４１１号マイクロフィルム
【発明の開示】
【発明が解決しようとする課題】
【０００４】
特許文献１のものは、階段の側壁等に発光ダイオードが設けられて避難誘導装置が構成されているので、施工現場に適合した装置とすることができる。しかし、施工現場での作業に熟練を要すると共に、施工時間がかかることが懸念される。
【０００５】
本発明は、上記の課題を解決するためになされたもので、施工現場での作業が容易で工事時間を短縮できる薄型発光素子付きの壁用表装材を提供することを目的とする。
【課題を解決するための手段】
【０００６】
上記の目的を達成するために、請求項１記載の発明に係る薄型発光素子付きの壁用表装材は、クロス材に、電力が供給されて発光する薄型の発光素子を取り付けたことを特徴とする。
【０００７】
請求項２記載の発明に係る薄型発光素子付きの壁用表装材は、請求項１記載の発明において、前記発光素子がＬＥＤ又はＥＬ発光素子であることを特徴とする。
【０００８】
請求項３記載の発明に係る薄型発光素子付きの壁用表装材は、請求項１又は２記載の発明において、前記発光素子は接着によりクロス材表面に取り付けられていることを特徴とする。
【０００９】
請求項４記載の発明に係る薄型発光素子付きの壁用表装材は、請求項１又は２記載の発明において、前記発光素子の表面は透明フィルムに覆われて取り付けられていることを特徴とする。
【００１０】
請求項５記載の発明に係る薄型発光素子付きの壁用表装材は、請求項１ないし４のいずれかに記載の発明において、前記電気配線がＤＣ電源に接続されるように構成されたことを特徴とする。
【００１１】
請求項６記載の発明に係る薄型発光素子付きの壁用表装材は、請求項１ないし５のいずれかに記載の発明において、前記電気配線が制御ユニットに接続されるように構成されたことを特徴とする。
【発明の効果】
【００１２】
請求項１記載の発明によれば、薄型発光素子付きの壁用表装材は、壁に貼ることにより、個室、個人住宅内の緊急災害時に戸外までの経路を誰にでも視認できるように設置でき、緊急時に誰もが容易に避難できる。壁用表装材は発光素子を取り付けて構成するので、新築、リフォームにかかわらず、対応してクロス材の施工ができ、作業が容易で工事時間を短縮できる。薄型であるのでクロス材の見映えを悪くすることが無い。
【００１３】
請求項２記載の発明によれば、請求項１の効果に加え、長時間使用することができる。
【００１４】
請求項３記載の発明によれば、請求項１の効果に加え、一層視認しやすくすることができる。
【００１５】
請求項４記載の発明によれば、請求項１の効果に加え、見映えよく取り付けることができる。
【００１６】
請求項５記載の発明によれば、請求項１の効果に加え、緊急時に容易に使用することができる。
【００１７】
請求項６記載の発明によれば、請求項１の効果に加え、緊急時に容易に避難方向を示したり、足下照明に使用するように制御することができる。
【発明を実施するための最良の形態】
【００１８】
以下、本発明の実施の形態について、図面を参照して詳しく説明する。図１は本発明の実施の形態における薄型発光素子付きの壁用表装材の全体の外観構成を示す斜視図、図２はその断面図、図３はそれを用いた避難路を形成する例を示す斜視図である。この実施の形態の薄型発光素子付きの壁用表装材１は、クロス材２と、薄型発光素子３とから構成され、ロール状にされて運搬、保管等される。
【００１９】
クロス材２は、長尺の透明フィルムが用いられ、その裏面の幅方向の一端側寄り、例えば、端から１００〜２００ｍｍの位置、に長手方向に沿って、複数個の薄型発光素子３が接着剤により接着されている。そして、壁用表装材１は、巻かれたロールの状態で運搬・保管等の取扱が容易にできるようにされている。
【００２０】
薄型発光素子３としては、電力が供給されて発光するＬＥＤ（発光ダイオード）、ＥＬ（エレクトロルミネッセンス）発光素子があげられる。薄型発光素子３はその発光面側をクロス材に接して接着されている。それらの薄型発光素子３は薄型平型電線４により接続されている。そして、薄型平型電線４は電源線と制御線からなる３線式が使用されている。
【００２１】
上記のように構成してなる薄型発光素子付きの壁用表装材１は、図３に示すように、電源線５は玄関等戸外への出口部に設けられているＤＣ電源ユニット７に接続される。また、制御線６は制御ユニット８に接続される。そして、緊急災害時などに制御ユニット８により誘導方向に点滅制御することで、戸外へ脱出する方向を示すことができる。
【００２２】
なお、本願発明は上記実施の形態のものに限られないことは勿論である。例えば、上記実施の形態では、クロス材２として透明のフィルムの例で説明したが、クロス材２として繊維シート、積層シート等を用い、薄型発光素子３を表側に向けて表面に接着してもよい。
【００２３】
また、基材層と透明表面層等のように複数層から構成し、基材層に薄型発光素子を接着して構成してもよい。また、薄型発光素子を接着することにより取り付ける例で説明したが、粘着テープ等により取り付けてもよいし、埋め込むようにしてもよい。この場合、透明粘着テープで表面側から貼り付けるようにしてもよい。また、足下照明用に使用するばあい、発光素子が同時に点灯するように、制御しても良い。
【図面の簡単な説明】
【００２４】
【図１】本発明に係る薄型発光素子付きの壁用表装材の実施の形態の全体の外観構成を示す斜視図である。
【図２】その要部の断面図である。
【図３】それを用いた避難路を形成する例を示す斜視図である。
【符号の説明】
【００２５】
１  壁用表装材
２  クロス材
３  薄型発光素子
４  薄型平型電線
５  電源線
６  制御線
７  ＤＣ電源ユニット
８  制御ユニット
【図１】
2008025263.tif 000003
【図２】
2008025263.tif 000004
【図３】
2008025263.tif 000005